【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
情報記録媒体の表面に印刷を行なう印刷装置であって、
前記情報記録媒体に印刷する印刷情報を編集する編集手段と、
前記編集手段により編集された印刷情報を前記情報記録媒体に印刷する印刷手段と、
前記印刷手段により印刷された印刷情報を、その印刷情報が印刷済であることを表す印刷済情報と共に登録する登録手段と、
前記登録手段により登録された印刷情報を呼び出して所定の表示領域に表示するとともに、その表示領域で新たに追加する印刷情報を編集する一方、前記表示領域に表示される印刷済の印刷情報の編集を禁止する追加編集手段と、
前記印刷手段を駆動することにより、前記印刷済情報が付された既に印刷済の印刷情報を除く前記追加編集手段により追加された印刷情報のみを、前記情報記録媒体の前記印刷済の印刷情報とは異なる位置に印刷する印刷制御手段と、
を備えることを特徴とする印刷装置。
【請求項２】
情報記録媒体の表面に印刷を行なう印刷装置であって、
前記情報記録媒体に印刷する印刷情報を編集する編集手段と、
前記編集手段により編集された印刷情報を前記情報記録媒体に印刷する印刷手段と、
前記印刷手段により印刷された印刷情報を、その印刷情報が印刷済であることを表す印刷済情報と共に登録する登録手段と、
前記登録手段により登録された印刷情報を呼び出して所定の表示領域に表示するとともに、その表示領域で新たに追加する印刷情報を編集する一方、前記表示領域に表示される印刷済の印刷情報の編集を禁止する追加編集手段と、
所定の印刷モードにおいては、前記印刷手段を駆動することにより、前記印刷済情報が付された印刷済の印刷情報を除く前記追加編集手段により追加された印刷情報のみを、前記情報記録媒体の前記印刷済の印刷情報とは異なる位置に印刷し、前記所定の印刷モードとは異なる他の所定の印刷モードにおいては、前記印刷手段を駆動することにより、前記印刷済情報が付された印刷済の印刷情報及び前記追加編集手段により追加した印刷情報を前記情報記録媒体に印刷する印刷制御手段と、
を備えることを特徴とする印刷装置。
【請求項３】
表面に印刷情報の書換えが可能な領域を有する情報記録媒体の前記領域に印刷を行なう印刷装置であって、
前記領域に印刷情報を印刷し、その印刷情報を消去可能な印刷・消去手段と、
前記情報記録媒体に印刷する印刷情報を編集する編集手段と、
前記印刷・消去手段により印刷された印刷情報を、その印刷情報が印刷済であることを表す印刷済情報と共に登録する登録手段と、
前記登録手段により登録された印刷情報を呼び出し、その印刷情報を削除したり、又は新たな印刷情報を追加して編集する追加編集手段と、
前記印刷・消去手段を制御する制御手段とを備え、
前記制御手段は前記印刷・消去手段を制御することにより、前記追加編集手段により印刷済の印刷情報が削除され、新たな印刷情報の追加がされないときには、その削除される印刷情報以降の印刷済の印刷情報を消去するとともに、その消去した印刷情報の位置に削除した印刷情報より後の前記印刷済の印刷情報を印刷し、また、前記追加編集手段により印刷済の印刷情報が削除され、新たな印刷情報の追加がされるときには、その削除される印刷情報以降の印刷済の印刷情報を消去するとともに、その消去した位置に削除した印刷情報より後の印刷情報及び／又は追加した印刷情報を印刷することを特徴とすることを特徴とする印刷装置。
【請求項４】
前記印刷制御手段は、前記編集手段によって作成された印刷情報を前記印刷手段によって情報記録媒体に最初に印刷する際に、その情報記録媒体を識別するための識別情報を印刷情報と共に印刷し、
前記登録手段は、前記識別情報を対応する印刷情報及び印刷済情報と共に登録し、
前記追加編集手段は、前記識別情報の指定に応じてその識別情報に対応する印刷情報を呼び出すことを特徴とする請求項１〜３に記載の印刷装置。
【請求項５】
前記登録手段は、前記追加編集手段により編集された追加の印刷情報が前記印刷手段により印刷された後に、その追加の印刷情報及びその追加の印刷情報が追加された印刷済の印刷情報を印刷済情報と共に再登録することを特徴とする請求項１〜３に記載の印刷装置。
【請求項６】
前記追加編集手段は、登録されている印刷済の印刷情報及び追加して編集される印刷情報を所定の表示領域に表示するとともに、印刷済の印刷情報と追加して編集される印刷情報とを異なる表示態様で表示する表示制御手段を備えることを特徴とする請求項１〜３に記載の印刷装置。
【請求項７】
前記追加編集手段は、情報の入力位置を示すために前記表示領域に表示されるカーソルが、印刷済の印刷情報の表示位置に移動するのを禁止することを特徴とする請求項１〜２に記載の印刷装置。
【請求項８】
情報記録媒体の表面に印刷を行なう印刷装置であって、
前記情報記録媒体に印刷する印刷情報を編集する編集手段と、
前記編集手段により編集された印刷情報を前記情報記録媒体に印刷する印刷手段と、
前記印刷手段により印刷された印刷情報を、その印刷情報が印刷済であることを表す印刷済情報と共に登録する登録手段と、
前記登録手段により登録された印刷情報を呼び出して所定の表示領域に表示するとともに、その表示領域で新たに追加する印刷情報を編集する一方、前記表示領域に表示される印刷済の印刷情報の部分に対して、その印刷情報を残したままで、その印刷情報を取消すことを示す取消線を入力編集する追加編集手段と、
前記印刷手段を駆動することにより、前記印刷済情報が付された既に印刷済の印刷情報を除く前記追加編集手段により追加された印刷情報を、前記情報記録媒体の前記印刷済の印刷情報とは異なる位置に印刷するとともに、前記取消線を前記印刷済の印刷情報の位置に印刷する印刷制御手段と、
を備えることを特徴とする印刷装置。
【請求項９】
情報記録媒体の表面に印刷を行なう印刷装置であって、
前記情報記録媒体に印刷する印刷情報を編集する編集手段と、
前記編集手段により編集された印刷情報を前記情報記録媒体に印刷する印刷手段と、
前記印刷手段により印刷された印刷情報を、その印刷情報が印刷済であることを表す印刷済情報と共に登録する登録手段と、
前記登録手段により登録された印刷情報を呼び出して所定の表示領域に表示するとともに、その表示領域で新たに追加する印刷情報を編集する一方、前記表示領域に表示される印刷済の印刷情報の部分に対して、その印刷情報を残したままで、その印刷情報を取消すことを示す取消線を入力編集する追加編集手段と、
所定の印刷モードにおいては、前記印刷手段を駆動することにより、前記印刷済情報が付された印刷済の印刷情報を除く前記追加編集手段により追加された印刷情報を、前記情報記録媒体の前記印刷済の印刷情報とは異なる位置に印刷するとともに、前記取消線を前記印刷済の印刷情報の位置に印刷し、前記所定の印刷モードとは異なる他の所定の印刷モードにおいては、前記印刷手段を駆動することにより、前記印刷済情報が付された印刷済の印刷情報及び前記追加編集手段により追加した印刷情報と取消線を前記情報記録媒体に印刷する印刷制御手段と、
を備えることを特徴とする印刷装置。
【請求項１０】
前記登録手段は、前記印刷手段によって印刷が行なわれない印刷情報を登録するときには、その印刷情報に前記印刷済情報を付けないで登録することを特徴とする請求項１、２、３、８及び９に記載の印刷装置。
【請求項１１】
前記印刷制御手段は、前記編集手段により作成された印刷情報を印刷するときには、その印刷情報と共に前記記録媒体を識別するための識別情報を印刷し、
また、前記追加編集手段により作成された印刷情報を印刷する場合で、前記所定の印刷モードにおいては、前記識別情報の印刷を行なわない一方、前記他の所定の印刷モードにおいては、前記識別情報を印刷することを特徴とする請求項２及び９に記載の印刷装置。
【手続補正２】
【補正対象書類名】明細書
【補正対象項目名】００１４
【補正方法】変更
【補正の内容】
【００１４】
本発明の請求項１に係る印刷装置は、情報記録媒体の表面に印刷を行なう印刷装置であって、前記情報記録媒体に印刷する印刷情報を編集する編集手段と、前記編集手段により編集された印刷情報を前記情報記録媒体に印刷する印刷手段と、前記印刷手段により印刷された印刷情報を、その印刷情報が印刷済であることを表す印刷済情報と共に登録する登録手段と、前記登録手段により登録された印刷情報を呼び出して所定の表示領域に表示するとともに、その表示領域で新たに追加する印刷情報を編集する一方、前記表示領域に表示される印刷済の印刷情報の編集を禁止する追加編集手段と、前記印刷手段を駆動することにより、前記印刷済情報が付された既に印刷済の印刷情報を除く前記追加編集手段により追加された印刷情報のみを、前記情報記録媒体の前記印刷済の印刷情報とは異なる位置に印刷する印刷制御手段とを備えることを特徴とする。
【手続補正３】
【補正対象書類名】明細書
【補正対象項目名】００１５
【補正方法】変更
【補正の内容】
【００１５】
本発明の請求項２に係る印刷装置は、情報記録媒体の表面に印刷を行なう印刷装置であって、前記情報記録媒体に印刷する印刷情報を編集する編集手段と、前記編集手段により編集された印刷情報を前記情報記録媒体に印刷する印刷手段と、前記印刷手段により印刷された印刷情報を、その印刷情報が印刷済であることを表す印刷済情報と共に登録する登録手段と、前記登録手段により登録された印刷情報を呼び出して所定の表示領域に表示するとともに、その表示領域で新たに追加する印刷情報を編集する一方、前記表示領域に表示される印刷済の印刷情報の編集を禁止する追加編集手段と、所定の印刷モードにおいては、前記印刷手段を駆動することにより、前記印刷済情報が付された印刷済の印刷情報を除く前記追加編集手段により追加された印刷情報のみを、前記情報記録媒体の前記印刷済の印刷情報とは異なる位置に印刷し、前記所定の印刷モードとは異なる他の所定の印刷モードにおいては、前記印刷手段を駆動することにより、前記印刷済情報が付された印刷済の印刷情報及び前記追加編集手段により追加した印刷情報を前記情報記録媒体に印刷する印刷制御手段とを備えることを特徴とする。
【手続補正４】
【補正対象書類名】明細書
【補正対象項目名】００２０
【補正方法】変更
【補正の内容】
【００２０】
本発明の請求項７に係る印刷装置は、前記請求項１〜２に係る印刷装置にあって、前記追加編集手段は、情報の入力位置を示すために前記表示領域に表示されるカーソルが、印刷済の印刷情報の表示位置に移動するのを禁止することを特徴とする。
【手続補正５】
【補正対象書類名】明細書
【補正対象項目名】００２１
【補正方法】変更
【補正の内容】
【００２１】
本発明の請求項８に係る印刷装置は、情報記録媒体の表面に印刷を行なう印刷装置であって、前記情報記録媒体に印刷する印刷情報を編集する編集手段と、前記編集手段により編集された印刷情報を前記情報記録媒体に印刷する印刷手段と、前記印刷手段により印刷された印刷情報を、その印刷情報が印刷済であることを表す印刷済情報と共に登録する登録手段と、前記登録手段により登録された印刷情報を呼び出して所定の表示領域に表示するとともに、その表示領域で新たに追加する印刷情報を編集する一方、前記表示領域に表示される印刷済の印刷情報の部分に対して、その印刷情報を残したままで、その印刷情報を取消すことを示す取消線を入力編集する追加編集手段と、前記印刷手段を駆動することにより、前記印刷済情報が付された既に印刷済の印刷情報を除く前記追加編集手段により追加された印刷情報を、前記情報記録媒体の前記印刷済の印刷情報とは異なる位置に印刷するとともに、前記取消線を前記印刷済の印刷情報の位置に印刷する印刷制御手段とを備えることを特徴とする。
【手続補正６】
【補正対象書類名】明細書
【補正対象項目名】００２２
【補正方法】変更
【補正の内容】
【００２２】
本発明の請求項９に係る印刷装置は、情報記録媒体の表面に印刷を行なう印刷装置であって、前記情報記録媒体に印刷する印刷情報を編集する編集手段と、前記編集手段により編集された印刷情報を前記情報記録媒体に印刷する印刷手段と、前記印刷手段により印刷された印刷情報を、その印刷情報が印刷済であることを表す印刷済情報と共に登録する登録手段と、前記登録手段により登録された印刷情報を呼び出して所定の表示領域に表示するとともに、その表示領域で新たに追加する印刷情報を編集する一方、前記表示領域に表示される印刷済の印刷情報の部分に対して、その印刷情報を残したままで、その印刷情報を取消すことを示す取消線を入力編集する追加編集手段と、所定の印刷モードにおいては、前記印刷手段を駆動することにより、前記印刷済情報が付された印刷済の印刷情報を除く前記追加編集手段により追加された印刷情報を、前記情報記録媒体の前記印刷済の印刷情報とは異なる位置に印刷するとともに、前記取消線を前記印刷済の印刷情報の位置に印刷し、前記所定の印刷モードとは異なる他の所定の印刷モードにおいては、前記印刷手段を駆動することにより、前記印刷済情報が付された印刷済の印刷情報及び前記追加編集手段により追加した印刷情報と取消線を前記情報記録媒体に印刷する印刷制御手段とを備えることを特徴とする。
【手続補正７】
【補正対象書類名】明細書
【補正対象項目名】００２３
【補正方法】変更
【補正の内容】
【００２３】
本発明の請求項１０に係る印刷装置は、前記請求項１、２、３、８及び９に係る印刷装置にあって、前記登録手段は、前記印刷手段によって印刷が行なわれない印刷情報を登録するときには、その印刷情報に前記印刷済情報を付けないで登録することを特徴とする。
【手続補正８】
【補正対象書類名】明細書
【補正対象項目名】００２４
【補正方法】変更
【補正の内容】
【００２４】
本発明の請求項１１に係る印刷装置は、前記請求項２及び９に係る印刷装置にあって、前記印刷制御手段は、前記編集手段により作成された印刷情報を印刷するときには、その印刷情報と共に前記記録媒体を識別するための識別情報を印刷し、また、前記追加編集手段により作成された印刷情報を印刷する場合で、前記所定の印刷モードにおいては、前記識別情報の印刷を行なわない一方、前記他の所定の印刷モードにおいては、前記識別情報を印刷することを特徴とする。
【手続補正９】
【補正対象書類名】明細書
【補正対象項目名】００２５
【補正方法】変更
【補正の内容】
【００２５】
本発明の請求項１に係る印刷装置によれば、印刷済の印刷情報を印刷済情報と共に登録し、その印刷済情報を利用して、印刷済情報が付された既に印刷済の印刷情報を除く追加編集した印刷情報のみを、情報記録媒体の既に印刷済の印刷情報とは異なる位置に印刷するように構成したことで、既に印刷情報が印刷されている情報記録媒体の表面に対して、簡単で正確に追加の印刷情報を追加して印刷することができる。また、印刷済部分の印刷情報を不注意により改変する不都合を防止することができる。そして、この請求項１に係る印刷装置は、特に、ＣＤ−ＲやＤＶＤ−Ｒなどのデータ情報を追記可能な情報記録媒体において、データ情報の追加記録に伴ってその追加のデータ情報に関連する印刷情報を追加印刷する場合に有効である。
【手続補正１０】
【補正対象書類名】明細書
【補正対象項目名】００２６
【補正方法】変更
【補正の内容】
【００２６】
本発明の請求項２に係る印刷装置によれば、請求項１の印刷装置と同様に、まず、所定の印刷モードにおいては、印刷済の印刷情報と共に登録した印刷済情報を利用して、既に印刷済の印刷情報を除く追加編集した印刷情報のみを、情報記録媒体の既に印刷済の印刷情報とは異なる位置に印刷するように構成したことで、既に印刷情報が印刷されている情報記録媒体の表面に対して、簡単で正確に追加の印刷情報を追加して印刷することができる。また、印刷済部分の印刷情報を不注意により改変する不都合を防止することができる。そして、前記所定の印刷モードとは異なる他の所定の印刷モードにおいては、データ情報を追記した情報記録媒体と同じデータ情報内容を新たな情報記録媒体に記録したい場合に、追加分を含む全ての印刷情報の印刷を一括して行うことで、そのような新たな情報記録媒体を作成する場合のレーベル印刷に好適である
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】変更
【補正の内容】
【００３２】
本発明の請求項７に係る印刷装置によれば、入力位置を指示するカーソルの編集禁止領域内への移動を禁止することで、印刷済部分の不用意な入力操作による印刷情報の改変を確実に防止できる。
【手続補正１３】
【補正対象書類名】明細書
【補正対象項目名】００３３
【補正方法】変更
【補正の内容】
【００３３】
本発明の請求項８及び９に係る印刷装置によれば、請求項１及び２に係る印刷装置と同様に、既に印刷情報が印刷されている情報記録媒体の表面に対して、簡単で正確に追加の印刷情報を追加して印刷することができる。また、印刷済の印刷情報の部分に対して、取消線を追加で印刷することができる。例えば、ＣＤ−ＲやＤＶＤ−Ｒなどのデータ情報の書換えができない情報記録媒体において、既に書き込んだデータ情報を無効にしたい場合などに、そのデータ情報を消去することはできないまでも、取消線を用いることにより、印刷表記上で、その旨を表すことができ、データの管理上で便利である。